(57)【要約】      （修正有）【課題】３次元表示された放射線画像における計測を容易に行うことができるようにする。【解決手段】乳房Ｍの放射線画像を３次元表示し、画像上の位置を指定するための位置指定用カーソル４０および画像に含まれる物体を３次元的に指定するボリュームカーソル４２を表示する。ボリュームカーソル４２により画像中の腫瘤５０を指定し、さらにボリュームカーソル４２のボリュームを変更して、腫瘤５０をボリュームカーソル４２により囲むようにする。これにより、腫瘤５０の体積を計測できる。さらに、位置指定用カーソル４０により位置を指定し、指定された位置と腫瘤５０との間の距離を計測する。【選択図】図４
2012105796.tif 000002
【特許請求の範囲】
【請求項１】
放射線画像を３次元表示する表示手段と、
前記表示手段に、前記放射線画像上の位置を指定するための位置指定用カーソルおよび前記放射線画像に含まれる物体を３次元的に指定するボリュームカーソルを３次元表示するカーソル表示制御手段と、
前記位置指定用カーソルによる位置の指定、および前記ボリュームカーソルによる所望とする物体の位置およびサイズの指定を受け付ける入力手段とを備えたことを特徴とする放射線画像表示装置。
【請求項２】
前記位置指定用カーソルにより指定された位置と、前記ボリュームカーソルにより指定された物体の位置との距離を計測する計測手段をさらに備えたことを特徴とする請求項１記載の放射線画像表示装置。
【請求項３】
前記計測手段は、前記ボリュームカーソルにより指定された物体の体積を計測する手段であることを特徴とする請求項２記載の放射線画像表示装置。
【請求項４】
前記位置指定用カーソルは、前記３次元表示された放射線画像の奥行き方向にも移動可能な３次元カーソルであることを特徴とする請求項１から３のいずれか１項記載の放射線画像表示装置。
【請求項５】
前記入力手段は、前記ボリュームカーソルにより前記所望とする物体の位置、該物体の大きさおよび該物体の位置の指定を受け付ける手段であることを特徴とする請求項１から４のいずれか１項記載の放射線画像表示装置。
【請求項６】
前記入力手段は、前記ボリュームカーソルによる前記物体の位置の指定を受け付けた後、該ボリュームカーソルの操作モードを切り替えて、前記物体の大きさの指定を受け付ける手段であることを特徴とする請求項５記載の放射線画像表示装置。
【請求項７】
放射線画像を３次元表示する表示手段を備えた放射線画像表示装置における放射線画像表示方法であって、
前記表示手段に、前記放射線画像上の位置を指定するための位置指定用カーソルおよび前記放射線画像に含まれる物体を３次元的に指定するボリュームカーソルを３次元表示し、
前記位置指定用カーソルによる位置の指定、および前記ボリュームカーソルによる所望とする物体の位置およびサイズの指定を受け付けることを特徴とする放射線画像表示方法。
【発明の詳細な説明】
【技術分野】
【０００１】
本発明は、被検体の放射線画像を３次元表示する放射線画像表示装置および方法に関するものである。
【背景技術】
【０００２】
従来、複数の画像を組み合わせて表示することにより、視差を利用して立体視できることが知られている。このような立体視できる画像（以下、立体視画像または３次元画像という）は、同一の被写体を異なる方向から撮影して取得された互いに視差のある複数の画像に基づいて表示される。
【０００３】
このような立体視画像は、デジタルカメラやテレビ等の分野だけでなく、放射線画像撮影の分野においても利用されている。すなわち、被検体に対して異なる撮影方向から放射線を照射し、その被検体を透過した放射線を放射線検出器によりそれぞれ検出して互いに視差のある複数の放射線画像を取得し、これらの放射線画像を用いて立体視画像を３次元表示することが行われている。このような立体視画像を用いることにより、奥行き感のある放射線画像を観察することができるため、診断をより行いやすくすることができる。
【０００４】
ところで、放射線画像は被検体内部の透過画像であることから、被検体の内部にある骨、各種組織および腫瘤や石灰化等の病変等の構造物が重なり合った状態で含まれている。このため、放射線画像を用いて立体視画像を表示した場合において、平面方向のみならず奥行き方向にも移動可能な３次元カーソルを用いて、必要な指示を画像上において行うようにしている（特許文献１〜３参照）。とくに特許文献１には、立体視画像の奥行き位置に合ったスケール値を持つ立体スケールを表示し、注目部位近傍の寸法を読み取る方法が開示されている。また、一方の点を注目部位としてそこに立体スケールを表示させた後に、他方の点に３次元カーソルを移動させることにより、２点間の相対位置（すなわち、２点間の距離）を求めることについても開示されている。
【０００５】
また、３次元空間において、立体形状の指示オブジェクトを表示し、指示オブジェクトの奥行き方向の座標値に応じて、指示オブジェクトの大きさを変更する手法も提案されている（特許文献４参照）。
【先行技術文献】
【特許文献】
【０００６】
【特許文献１】特開２００５−１３６７２６号公報
【特許文献２】特開平４−１６８９６号公報
【特許文献３】特開２００３−６６７７号公報
【特許文献４】特開平５−２７４４２１号公報
【発明の概要】
【発明が解決しようとする課題】
【０００７】
ところで、放射線画像を３次元表示する場合、病変等の画像上の所望とされる物体の体積や、その物体と所定の基準位置間の距離を簡易に計測したいという要望がある。例えば、乳房の立体視画像において、乳房における基準となる位置（例えば乳首）から腫瘤等の病変までの距離、あるいは骨から皮膚までの距離、あるいは病変の体積等を簡易に計測したいという要望がある。しかしながら、腫瘤あるいは骨は、そのエッジ部分が明確でない場合が多く、その特定が容易でない。とくに画像が３次元表示されている場合には、形状や奥行き感をつかみにくく、上記の計測が困難となる。
【０００８】
本発明は上記事情に鑑みなされたものであり、３次元表示された放射線画像における計測を容易に行うことができるようにすることを目的とする。
【課題を解決するための手段】
【０００９】
本発明による放射線画像表示装置は、放射線画像を３次元表示する表示手段と、
前記表示手段に、前記放射線画像上の位置を指定するための位置指定用カーソルおよび前記放射線画像に含まれる物体を３次元的に指定するボリュームカーソルを３次元表示するカーソル表示制御手段と、
前記位置指定用カーソルによる位置の指定、および前記ボリュームカーソルによる所望とする物体の位置およびサイズの指定を受け付ける入力手段とを備えたことを特徴とするものである。
【００１０】
「３次元表示する」とは、立体視に必要な要件をすべて満たして、３次元表示に必要な画像を表示することを意味する。
【００１１】
「位置指定用カーソル」とは、平面的なカーソルを意味する。
【００１２】
「ボリュームカーソル」とは、２次元平面に納まらない３次元形状で認識できるカーソルを意味する。
【００１３】
「３次元的に指定する」とは、操作者の指示によりボリュームカーソルのサイズを変更し、３次元表示された放射線画像に含まれる物体を、ボリュームカーソルにより囲むように指定することを意味する。
【００１４】
なお、本発明による放射線画像表示装置においては、前記位置指定用カーソルにより指定された位置と、前記ボリュームカーソルにより指定された物体の位置との距離を計測する計測手段をさらに備えるものとしてもよい。
【００１５】
また、本発明による放射線画像表示装置においては、前記計測手段を、前記ボリュームカーソルにより指定された物体の体積を計測する手段としてもよい。
【００１６】
また、本発明による放射線画像表示装置においては、前記位置指定用カーソルを、前記３次元表示された放射線画像の奥行き方向にも移動可能な３次元カーソルとしてもよい。
【００１７】
また、本発明による放射線画像表示装置においては、前記入力手段を、前記ボリュームカーソルにより前記所望とする物体の位置、該物体の大きさおよび該物体の位置の指定を受け付ける手段としてもよい。
【００１８】
また、本発明による放射線画像表示装置においては、前記入力手段を、前記ボリュームカーソルによる前記物体の位置の指定を受け付けた後、該ボリュームカーソルの操作モードを切り替えて、前記物体の大きさの指定を受け付ける手段としてもよい。
【００１９】
本発明による放射線画像表示方法は、放射線画像を３次元表示する表示手段を備えた放射線画像表示装置における放射線画像表示方法であって、
前記表示手段に、前記放射線画像上の位置を指定するための位置指定用カーソルおよび前記放射線画像に含まれる物体を３次元的に指定するボリュームカーソルを３次元表示し、
前記位置指定用カーソルによる位置の指定、および前記ボリュームカーソルによる所望とする物体の位置およびサイズの指定を受け付けることを特徴とするものである。
【発明の効果】
【００２０】
本発明によれば、放射線画像上の位置を指定するための位置指定用カーソルおよび放射線画像に含まれる物体を３次元的に指定するボリュームカーソルが３次元表示された放射線画像上に３次元表示され、位置指定用カーソルによる位置の指定、およびボリュームカーソルによる所望とする物体の位置およびサイズの指定が受け付けられる。ここで、ボリュームカーソルを用いることにより、３次元表示された放射線画像における所望とする物体の位置およびサイズを適切に指定することができる。したがって、３次元表示された放射線画像において、ボリュームカーソルにより指定された物体と位置指定用カーソルにより指定された位置との間の距離の計測を容易に行うことができる。
【００２１】
また、放射線画像上の物体のサイズと、ボリュームカーソルのサイズとを一致させてボリュームカーソルの体積を算出することにより、その物体の大まかな体積を計測することができる。
【図面の簡単な説明】
【００２２】
【図１】本発明の実施形態による放射線画像表示装置を用いた放射線画像撮影装置の構成を示す概略ブロック図
【図２】図１に示す放射線画像撮影装置のアーム部を図１の右方向から見た図
【図３】図１に示す放射線画像撮影装置のコンピュータ内部の概略構成を示すブロック図
【図４】３次元表示された乳房の放射線画像を示す概略図
【図５】ボリュームカーソルを用いた腫瘤の体積の計測を説明するための図
【図６】体積の計測処理のフローチャート
【図７】位置指定用カーソルを用いた距離の計測を説明するための図
【図８】距離の計測処理のフローチャート
【図９】位置指定用カーソルを用いた距離の計測の他の例を説明するための図
【発明を実施するための形態】
【００２３】
以下、図面を参照して本発明の実施形態について説明する。図１は本発明の実施形態による放射線画像表示装置を適用した放射線画像撮影装置の概略構成図である。放射線画像撮影装置１は、乳房の放射線画像を立体視するために、異なる撮影方向から乳房Ｍを撮影して複数の放射線画像を取得するものである。図１に示すように放射線画像撮影装置１は、撮影部１０、撮影部１０に接続されたコンピュータ２、コンピュータ２に接続されたモニタ３および入力部４を備えている。
【００２４】
撮影部１０は、基台１１、基台１１に対し上下方向（Ｚ方向）に移動可能であり、かつ回転可能な回転軸１２、および回転軸１２により基台１１と連結されたアーム部１３を備えている。なお、図２には図１の右方向から見たアーム部１３を示している。
【００２５】
アーム部１３はアルファベットのＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２６】
撮影台１４の内部には、フラットパネルディテクタ等の放射線検出器１５、および放射線検出器１５からの電荷信号の読み出しを制御する検出器コントローラ３３が備えられている。
【００２７】
また、撮影台１４の内部には、放射線検出器１５から読み出された電荷信号を電圧信号に変換するチャージアンプ、チャージアンプから出力された電圧信号をサンプリングする相関２重サンプリング回路、電圧信号をデジタル信号に変換するＡＤ変換部等が設けられた回路基板等も設置されている。
【００２８】
また、撮影台１４はアーム部１３に対し回転可能に構成されており、基台１１に対してアーム部１３が回転したときでも、撮影台１４の向きは基台１１に対し固定された向きとすることができる。
【００２９】
放射線検出器１５は、放射線画像の記録および読み出しを繰り返して行うことができるものであり、放射線の照射を直接受けて電荷を発生する、いわゆる直接型の放射線検出器を用いてもよいし、放射線を一旦可視光に変換し、その可視光を電荷信号に変換する、いわゆる間接型の放射線検出器を用いるようにしてもよい。また、放射線画像信号の読出方式としては、ＴＦＴ（thin film transistor）スイッチをオン・オフさせることによって放射線画像信号が読み出される、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００３０】
放射線照射部１６の内部には、放射線源１７および放射線源コントローラ３２が収納されている。放射線源コントローラ３２は、放射線源１７から放射線を照射するタイミングと、放射線源１７における放射線発生条件（管電流、時間、管電圧等）とを制御するものである。
【００３１】
また、アーム部１３の中央部には、撮影台１４の上方に配置されて乳房Ｍを押さえつけて圧迫する圧迫板１８、その圧迫板１８を支持する支持部２０、および支持部２０を上下方向（Ｚ方向）に移動させる移動機構１９が設けられている。圧迫板１８の位置および圧迫圧は、圧迫板コントローラ３４により制御される。
【００３２】
コンピュータ２は、中央処理装置（ＣＰＵ）および半導体メモリやハードディスクやＳＳＤ等のストレージデバイス等を備えており、これらのハードウェアによって、図３に示すような制御部２ａ、放射線画像記憶部２ｂ、画像表示制御部２ｃ、カーソル表示制御部２ｄ、および計測部２ｅが構成されている。
【００３３】
制御部２ａは、各種のコントローラ３１〜３４に対して所定の制御信号を出力し、装置全体の制御を行うものである。具体的な制御方法については後述する。
【００３４】
放射線画像記憶部２ｂは、互いに異なる２つの撮影方向からの撮影によって放射線検出器１５により検出された２枚の放射線画像ＧＲ，ＧＬを記憶するものである。
【００３５】
画像表示制御部２ｃは、放射線画像記憶部２ｂから読み出された２枚の放射線画像ＧＲ，ＧＬに対して所定の処理を施した後、モニタ３に乳房Ｍの放射線画像を立体視表示させるものである。
【００３６】
カーソル表示制御部２ｄは、モニタ３に立体視表示された放射線画像に、後述する位置指定用カーソルおよびボリュームカーソルを表示させ、操作者による入力部４からの指示により、位置指定用カーソルおよびボリュームカーソルを移動させたり、ボリュームカーソルのサイズを変更したりするものである。
【００３７】
計測部２ｅは、後述するように乳房Ｍに含まれる腫瘤等の病変の体積、およびカーソルにより指定された位置間の距離を計測するものである。なお、体積の計測および距離の計測の切り替えは、入力部４を用いての計測モードの切り替え指示により行われる。
【００３８】
モニタ３は、コンピュータ２から出力された２つの放射線画像ＧＲ，ＧＬを用いて立体視画像を３次元表示可能なように構成されたものである。モニタ３の３次元表示の方式としては、例えば、２つの画面を用いて２つの放射線画像をそれぞれ表示させて、これらをハーフミラーや偏光グラス等を用いることで一方の放射線画像は観察者の右目に入射させ、他方の放射線画像は観察者の左目に入射させることによって立体視画像を表示する方式を採用することができる。また、２つの放射線画像を重ね合わせ、これを偏光グラスで観察することで立体視画像を表示する方式を用いてもよい。さらに、モニタ３を３Ｄ液晶により構成し、パララックスバリア方式およびレンチキュラー方式のように、２つの放射線画像を立体視可能な方式を用いてもよい。
【００３９】
入力部４は、例えば、キーボードおよびマウス等のポインティングデバイスから構成されるものであり、操作者による撮影条件等の入力、撮影開始指示の入力、カーソルの移動、計測開始の指示の入力等を受け付けるものである。
【００４０】
このような放射線画像撮影装置１においては、以下のようにして撮影が行われる。まず、撮影台１４の上に患者の乳房Ｍが設置され、圧迫板１８により乳房Ｍが所定の圧力によって圧迫される。次に、入力部４おいて、種々の撮影条件が入力された後、撮影開始の指示が入力される。
【００４１】
入力部４において撮影開始の指示があると、立体視表示を行うための２つの放射線画像の撮影が行われる。具体的には、まず、制御部２ａが記憶された輻輳角θを読み出し、その読み出した輻輳角θの情報をアームコントローラ３１に出力する。そして、アームコントローラ３１において、制御部２ａから出力された輻輳角θの情報が受け付けられ、アームコントローラ３１は、まず、図２の実線に示すように、アーム部１３が撮影台１４に垂直な方向（０度方向）となるように制御信号を出力する。
【００４２】
そして、このアームコントローラ３１から出力された制御信号に応じて、アーム部１３が撮影台１４に対して垂直な方向となった状態において、制御部２ａは、放射線源コントローラ３２および検出器コントローラ３３に対して放射線の照射および放射線画像信号の読み出しを行うよう制御信号を出力する。この制御信号に応じて、放射線源１７から放射線が射出され、乳房Ｍを０度方向から撮影した放射線画像が放射線検出器１５によって検出され、検出器コントローラ３３によって放射線検出器１５から放射線画像信号が読み出され、その放射線画像信号に対して所定の信号処理が施された後、コンピュータ２の放射線画像記憶部２ｂに右目用の放射線画像ＧＲとして記憶される。
【００４３】
次に、アームコントローラ３１は、図２の仮想線に示すように、アーム部１３を撮影台１４に垂直な方向に対して＋θ度回転するよう制御信号を出力する。そして、このアームコントローラ３１から出力された制御信号に応じてアーム部１３が＋θ度回転した状態において、制御部２ａは、放射線源コントローラ３２および検出器コントローラ３３に対して放射線の照射および放射線画像信号の読み出しを行うよう制御信号を出力する。この制御信号に応じて、放射線源１７から放射線が射出され、乳房Ｍを＋θ度方向から撮影した放射線画像が放射線検出器１５によって検出され、検出器コントローラ３３によって放射線画像信号が読み出され、所定の信号処理が施された後、コンピュータ２の放射線画像記憶部２ｂに左目用の放射線画像ＧＬとして記憶される。
【００４４】
そして、放射線画像記憶部２ｂに記憶された２つの放射線画像ＧＲ，ＧＬが読み出され、放射線画像ＧＲ，ＧＬに対して所定の処理が施された後、モニタ３に出力され、モニタ３において、乳房Ｍの立体視画像が３次元表示される。また、これとともにモニタ３に位置指定用カーソルおよびボリュームカーソルが３次元表示される。
【００４５】
図４は乳房の立体視画像に位置指定用カーソルおよびボリュームカーソルが表示された状態を示す図である。なお、図４においては奥行きを示すために、図１，２と同様のＸＹＺの３次元の座標系を使用し、乳房Ｍを斜視図を用いて示しているが、実際には、乳房Ｍ、位置指定用カーソルおよびボリュームカーソルは、立体視されるものである。
【００４６】
図４に示すように、立体視される乳房Ｍは、手前側および後側は平面となっている。これは、撮影時には圧迫板１８と撮影台１５との間において乳房Ｍが圧迫されているためである。また、位置指定用カーソル４０は矢印形状をなしており、平面方向のみならず奥行き方向にも移動可能な３次元カーソルである。本実施形態においては、キーボードの矢印キーあるいはマウスのホイール等を操作することにより、奥行き方向の位置を変更可能となっている。ここで、位置指定用カーソル４０の形状は矢印に限定されるものではなく、球形および円錐形等の他の形状のものを用いてもよい。
【００４７】
また、ボリュームカーソル４２は、球形をなしており、入力部４の操作によりその大きさを変更可能となっている。具体的には、キーボードの矢印キーあるいはマウスのホイール等を操作することによりその大きさを変更可能となっている。なお、ボリュームカーソル４２は球形に限定されるものではなく、楕円体、立方体および直方体等の他の立体形状であってもよい。
【００４８】
ここで、位置指定用カーソル４０およびボリュームカーソル４２は、奥行き方向の位置に応じた立体感となるように、放射線画像と同様の方式により３次元表示される。
【００４９】
なお、本実施形態においては、入力部４のマウスは１つのみであるため、キーボードからの指示により、マウスの操作により移動するカーソルを切り替えるようにする。なお、マウスを２つ設け、２つのマウスのそれぞれにより位置指定用カーソル４０およびボリュームカーソル４２を移動させるようにしてもよい。
【００５０】
本実施形態においては、このように位置指定用カーソル４０およびボリュームカーソル４２を３次元表示し、２つのカーソル４０，４２を用いて各種計測を行うものである。まず、ボリュームカーソル４２を用いた腫瘤の体積の計測について説明する。ここで、図４に示す乳房Ｍには腫瘤５０が含まれており、腫瘤５０の体積を計測するものとする。
【００５１】
図５はボリュームカーソルを用いた腫瘤の体積の計測を説明するための図、図６は体積の計測処理のフローチャートである。操作者はキーボードを操作することにより、計測のモードを体積計測モードに切り替える。この指示が受け付けられると（ステップＳＴ１）、計測部２ｅは、計測のモードを体積計測モードに切り替える（ステップＳＴ２）。次いで、カーソル表示制御部２ｄは、操作者により、ボリュームカーソル４２の操作モードを位置変更モードに切り替える指示が行われたか否かを判定する（ステップＳＴ３）。ステップＳＴ３が否定されると後述するステップＳＴ６の処理に進む。ステップＳＴ３が肯定されると、カーソル表示制御部２ｄは、ボリュームカーソル４２の操作モードを位置変更モードに切り替える（ステップＳＴ４）。
【００５２】
この状態において、操作者はマウスを操作することにより、図５（ａ）に示すように、カーソル表示制御部２ｄを介して、腫瘤５０の位置にボリュームカーソル４２を移動させることができる（ボリュームカーソル移動受け付け、ステップＳＴ５）。これにより、カーソル表示制御部２ｄは、ボリュームカーソル４２を移動させる。この際、操作者は、ボリュームカーソル４２の中心位置Ｏ１を腫瘤５０の中心位置と一致させるようにボリュームカーソル４２を移動させることができる。この後、操作者は腫瘤５０の体積の計測のために、ボリュームカーソル４２のボリュームの調整を行うことができる。このため、ステップＳＴ５に続いて、カーソル表示制御部２ｄは、ボリュームカーソル４２の操作をボリューム変更モードに切り替える指示が行われたか否かを判定する（ステップＳＴ６）。ステップＳＴ６が否定されると、後述するステップＳＴ９の処理に進む。
【００５３】
ステップＳＴ６が肯定されると、カーソル表示制御部２ｄは、ボリュームカーソル４２の操作モードをボリューム変更モードに切り替える（ステップＳＴ７）。この状態において、操作者は、図５（ｂ）に示すように、マウスのホイールまたはキーボードの矢印キーの操作により、ボリュームカーソル４２のボリューム（すなわちサイズ）を変更することができる（ボリューム変更受け付け、ステップＳＴ８）。これにより、カーソル表示制御部２ｄはボリュームカーソル４２のサイズを変更する。なお、ボリューム変更モードに切り替えると、ボリュームカーソル４２の移動は禁止されるため、ボリュームカーソル４２の中心位置Ｏ１は固定されることとなる。
【００５４】
続いて、計測部２ｅはキーボードから計測の指示がなされたか否かを判定する（ステップＳＴ９）。ステップＳＴ９が否定されると、ステップＳＴ３に戻り、ステップＳＴ３以降の処理を繰り返す。これにより、操作者は必要であれば、図５（ｃ）に示すように、ボリュームカーソル４２の位置を微調整したり、ボリュームカーソル４２のボリュームを微調整して、所望とするように腫瘤５０をボリュームカーソル４２により囲むことが可能となる。
【００５５】
ステップＳＴ９が肯定されると、計測部２ｅがボリュームカーソル４２の体積を計測し（ステップＳＴ１０）、これを腫瘤５０の体積として出力し（ステップＳＴ１１）、処理を終了する。
【００５６】
次に距離の計測について説明する。図７は位置指定用カーソルを用いた距離の計測を説明するための図、図８は距離の計測の処理のフローチャートである。上述したようにボリュームカーソル４２は腫瘤５０の形状とほぼ一致された状態にあることから、距離の計測は、体積計測処理が終了した状態から開始するものとする。操作者はキーボードを操作することにより、計測のモードを距離計測モードに切り替える。この指示が受け付けられると（ステップＳＴ２１）、計測部２ｅは、計測のモードを距離計測モードに切り替える（ステップＳＴ２２）。
【００５７】
この状態において、操作者はマウスを操作することにより、カーソル表示制御部２ｄを介して、所望とする位置に位置指定用カーソル４０を移動させることができる（位置指定用カーソル移動受け付け、ステップＳＴ２３）。なお、操作者はマウスの移動により位置指定用カーソル４０を２次元的に移動させ、ホイールまたはキーボードを操作することにより位置指定用カーソル４０を奥行き方向に移動させることができる。本実施形態においては、位置指定用カーソル４０を乳房Ｍの乳首の位置に移動させるものとする。
【００５８】
続いて、計測部２ｅはキーボードから計測の指示がなされたか否かを判定する（ステップＳＴ２４）。ステップＳＴ２４が否定されると、ステップＳＴ２３に戻り、ステップＳＴ２３以降の処理を繰り返す。これにより、操作者は位置指定用カーソル４０が所望とする位置に移動するまで、位置指定用カーソル４０を移動させることができる。
【００５９】
ステップＳＴ２４が肯定されると、計測部２ｅが位置指定用カーソル４０により指定された位置Ｏ２と、ボリュームカーソル４２の中心位置Ｏ１との間の距離Ｌ０を計測し（ステップＳＴ２５）、計測した距離Ｌ０を出力し（ステップＳＴ２６）、処理を終了する。
【００６０】
なお、距離の計測に際しては、ボリュームカーソル４２を用いての体積計測の結果を使用することなく、位置指定用カーソル４０によりその間の距離を計測する２点を指定するようにしてもよい。
【００６１】
このように、本実施形態によれば、位置指定用カーソル４０およびボリュームカーソル４２を３次元表示された放射線画像上に３次元表示し、位置指定用カーソル４０による位置の指定、およびボリュームカーソル４２による所望とする物体（腫瘤５０）の位置およびサイズの指定を受け付けるようにしたものである。ここで、ボリュームカーソル４２を用いることにより、３次元表示された放射線画像における所望とする物体の位置およびサイズを適切に指定することができる。したがって、３次元表示された放射線画像において、ボリュームカーソル４２により指定された物体と位置指定用カーソル４０により指定された位置との間の距離の計測を容易に行うことができる。
【００６２】
また、３次元表示された放射線画像上の物体のサイズと、ボリュームカーソル４２のサイズとを一致させてボリュームカーソル４２の体積を算出することにより、その物体の大まかな体積を計測することができる。
【００６３】
なお、上記実施形態においては、腫瘤５０と乳首との間の距離Ｌ０を計測しているが、図９に示すように、腫瘤５０と乳房Ｍの肌表面との距離Ｌ１を計測するようにしてもよい。
【００６４】
また、上記実施形態においては、本発明による放射線画像表示装置を適用した放射線画像撮影装置を乳房の放射線画像を撮影する装置としているが、被検体としては乳房に限らず、例えば関節あるいは脊柱等の骨部を撮影する放射線画像撮影装置を用いることも可能である。この場合、骨部の放射線画像が３次元表示されるが、関節の放射線画像の場合、関節の軟骨の厚さ（すなわち関節における骨間の距離）を、位置指定用カーソル４０およびボリュームカーソル４２を用いて計測することができる。また、大腿骨等の骨の曲がり角度、大腿骨と股関節との角度、骨の変形の角度、脊柱が湾曲している場合の角度等を、位置指定用カーソル４０およびボリュームカーソル４２を用いて計測することが可能である。
【符号の説明】
【００６５】
１    放射線画像撮影装置
２    コンピュータ
２ａ    制御部
２ｂ    放射線画像記憶部
２ｃ    画像表示制御部
２ｄ    カーソル表示制御部
２ｅ    計測部
３    モニタ
４    入力部
１０    撮影部
１３    アーム部
１４    撮影台
１５    放射線検出器
１６    放射線照射部
１７    放射線源
１８    圧迫板
【図１】
2012105796.tif 000003
【図２】
2012105796.tif 000004
【図３】
2012105796.tif 000005
【図６】
2012105796.tif 000006
【図８】
2012105796.tif 000007
【図４】
2012105796.tif 000008
【図５】
2012105796.tif 000009
【図７】
2012105796.tif 000010
【図９】
2012105796.tif 000011